(57)【要約】【課題】  使用者が力を出しすぎてドア錠に損壊をきたすことを避けることが可能なドア錠構造を提供する。【解決手段】  殻体１２と、主動機構１３と、被動機構１４と、第一ギア４０と、第二ギア４２と、伝動ギア４４とを備えている。殻体１２は一ペアの面板２０があり、主動機構１３には一ペアのドア握り３２がある。被動機構１４にはギアセットがあり、ギアセットは下記のものを含む。第一ギア４０は定位台２２とドア板との間に枢設し、その上には軸心に対称でその中の撥ね爪３０と対応した二つの第一翼部４０２が設けられ、第二ギア４２は定位台２２の予定部所に枢設され、上に軸心と対称に別の撥ね爪３０と対応した二つの第二翼部４２６が設けられ、伝動ギア４４は定位台２２上に枢設し、その両端は各別に各第一ギア４０と第二ギア４２と噛合し、その中段の所には振り棒４４０が突出する。【選択図】    図１
0003104380.tif 000002
【実用新案登録請求の範囲】
【請求項１】
殻体と、主動機構と、被動機構と、第一ギアと、第二ギアと、伝動ギアとを備え、
前記殻体は一ペアの面板があり、相対的にドア板の両側に固定可能であり、定位台は前記二つの面板の間に設けられ、
前記主動機構には一ペアのドア握りがあり、各別に上下の振り動き可能な方式で各前記面板上に枢設され、一ペアの撥ね爪は各別に対応する各前記ドア握り上に設けられ、その一端は前記二つの面板の間に延伸し、一ペアの振りアームは前記殻体内部に枢設され、対応する撥ね爪の制御を受けて下に向って振り動き、
前記被動機構にはギアセットがあり、前記定位台上に設けられ、前記振りアームの駆動を受けてその予定部所を回転させ、滑り塊は前記ギアセットの駆動を受けて予定の方向に沿って往復移動可能であり、
前記ギアセットは前記第一ギア、前記第二ギア及び前記電動ギアを含み、
前記第一ギアは前記定位台とドア板との間に枢設し、その上には軸心に対称でその中の撥ね爪と対応した二つの第一翼部が設けられ、
前記第二ギアは前記定位台の予定部所に枢設され、上に軸心と対称で別の撥ね爪と対応した二つの第二翼部が設けられ、
前記伝動ギアは前記定位台上に枢設し、その両端は各別に各前記第一ギアと第二ギアと噛合し、その中段の所には振り棒が突出し、前記振り棒はその予定部所で前記滑り塊の往復移動を推動可能であることを特徴とするドア錠構造。
【請求項２】
前記第二ギアは本体部と一本の延伸棒を有し、前記本体部はその外縁と前記伝動ギアとが噛接し、通し孔は前記本体部の軸心に設けられ、掛け止め部は前記通し孔の内縁にあり、前記延伸棒は予定の長さがあり、その一端には前記二つの第二翼部が設けられ、別の一端は前記通し孔の中に延伸して前記掛け止め部と嵌接していることを特徴とする請求項１に記載のドア錠構造。
【請求項３】
殻体と、主動機構と、被動機構と、閉鎖機構とを備え、
前記殻体は一ペアの面板があり、相対的にドア板の両側に固定可能であり、
定位台は前記二つの面板の間に設けられ、
前記主動機構は一ペアのドア握りがあり、各別に上下の振り動き可能な方式で各前記面板上に枢設し、
一ペアの撥ね爪は個別に対応した各前記ドア握り上に設けられ、その一端は前記二つの面板の間に延伸し、一ペアの振りアームは前記殻体の内部に枢設し対応する撥ね爪の制御を受けて下に向って振り動き、
前記被動機構はギアセットがあり、その予定部所は前記振りアームの駆動を受けて回転し、滑り塊は前記ギアセットの駆動を受けて予定の方向に沿って往復移動可能であり、
前記閉鎖機構は押しボタンがあり、第一位置と第二位置との間に往復移動の方式で前記定位台上に設けることが可能であり、圧板はその中段の部所で前記定位台上に枢設し、その上端と前記押しボタンとは対応し、下端は前記ギアセットと対応し、前記押しボタンが第一位置のときは前記ギアセットは前記撥ね爪の駆動を受けることが可能な状態になり、これによって前記滑り塊の移動する位置を引き動かし、前記押しボタンが第二位置の所のときは前記圧板は前記ギアセットの前記撥ね爪に対応した部所を推動して前記部所を前記撥ね爪が駆動できない位置に移動させることを特徴とするドア錠構造。
【請求項４】
前記定位台上には掛け溝が設けられ、前記押しボタンは伸縮可能な掛け杭があり、前記押しボタンが第一位置のときは前記掛け杭は収縮の状態になっており、前記押しボタンが第二位置のときは、前記掛け杭は伸出可能であり前記掛け溝の中に嵌込んで、前記押しボタンが第二位置である状態を維持することを特徴とする請求項３記載のドア錠構造。
【請求項５】
前記定位台の予定の部所には錠心が設けられ、前記錠心の外側端は対応した面板の外に延伸し、内側端は前記掛け杭の側に延伸し、これにより前記掛け杭の収縮を制御して前記掛け溝を脱離するために使用可能であることを特徴とする請求項４記載のドア錠構造。
【請求項６】
前記掛け溝は前記滑り塊の上側に対応し、前記滑り塊が互いに向いた前記押しボタンの部所には押し突き部が凸設され、前記押し突き部が前記滑り塊の移動に伴って予定の位置に移動したときには前記掛け杭を押し突けて上に向って収縮させて前記掛け溝を脱離可能であることを特徴とする請求項４に記載のドア錠構造。
【請求項７】
前記滑り塊上には二つの押し突き部が設けられ、前記二つの押し突き部の間には凹み部が設置され、前記二つの押し突き部は前記凹み部と対称に前記二つの押し突きの両側にあって、これにより前記滑り塊が中立の位置のときは前記掛け杭を前記凹み部に対応させ、往復移動の過程中に前記掛け杭を各前記押し突き部に対応させ、第二位置の所にある前記押しボタンの開放に使用することを特徴とする請求項６記載のドア錠構造。
【考案の詳細な説明】
【技術分野】
【０００１】
本考案はドア握りを開き動かす方式でドアを開ける錠具に関し、特に操作が便利で、なおかつ誤った操作方式によってドア錠が壊されることを避けることできる錠に関する。
【背景技術】
【０００２】
従来のドア握りを開き動かす方式あるいは推圧方式の操作によってドアを開ける錠具、例えば下記の特許文献１のドア握りは、使用者が室内あるいは室外からドア握りを上開きあるいは下圧の方式でドアを開くことができるようになっている。同時に、使用者が室内から押しボタンの推圧によって、該ドア錠を只室内から開くことができる先向閉鎖状態を形成している。
【０００３】
しかし、前記のドア錠は構造が複雑すぎであり、なおかつその先向閉鎖機構は只一つの掛け杭で該ドア握りの内部を突き止めて振り動くことができないだけであるので、実際の使用時には使用者は該ドア錠が締められているかあるいは只部品の運転がスムーズでない状態であるかを確認することができず、常時強い力を使って該ドア握りを動かす。これによって、該ドア握りあるいは該掛け杭が折断あるいは変形される情況が発生する。
しかしながら上記で述べたように、そのドア錠は構造が複雑で、使用時にその掛け杭が折断したりまたはドア握りが折断あるいは変形したりする状況が発生してドア錠を損壊するという欠点がある。
【特許文献１】米国特許第６，３２７，８８０号
【考案の開示】
【考案が解決しようとする課題】
【０００４】
よって本考案の目的は、使用者が力を出しすぎてドア錠に損壊をきたすことを避けることが可能なドア錠構造を提供することである。
【課題を解決するための手段】
【０００５】
本考案は上記の点を解決するためになされたものであり、ドア錠の構造を提供する。その構造は、殻体と、主動機構と、被動機構と、閉鎖機構を含む構造で前記の課題を解決することができる。
【考案を実施するための最良の形態】
【０００６】
以下、図面に従って本考案を説明する。
図２を参照する。本考案の一実施例によるドア錠構造の開き動かし式ドア錠１０は殻体１２と、主動機構１３と、被動機構１４と、閉鎖機構１５を含む構造であり、該殻体１２は下記のものを含む。一ペアの面板２０は、互いに向きあってドア板（図の中には表示されていない）の両側の端面上に設けられている。定位台２２は、台体２２０および蓋体２２３がある両板式の構造であり、数個のねじで該ペアの面板２０の間に固定し、かつ該ドア板に事前にあけた孔の内部に固定している。該台体２２０はその前後端を貫通した通し孔２２１があり、その左右の外縁に連通した滑り溝２２２が設けられている。該蓋体２２３は、該滑り溝２２２の前端に圧着されている。
【０００７】
該主動機構１３は下記のものを含む。一ペアの撥ね爪３０は、各別にその中段の所が対応した各該面板２０の内側に枢設されており、その下端はやや対応した各該面板２０の外に延伸している。一ペアのドア握り３２は各別に各該面板２０の外側に枢設し、対応する各該撥ね爪３０の下端をその上に固定させる。一ペアの振りアーム３４は各別にその一端を各該面板２０の内側に枢設する。別の一端は各一つの掛け塊３４０を凸設し、中段部所３４２は対応した各該撥ね爪３０の頂端の側にある。一ペアのばね３６は各別にその両端を対応した各該掛け塊３４０と面板２０の内側との間に連接し、これで各該振りアームの中段部所３４２と撥ね爪３０とを経由して、各該ドア握り３２が外力を受けていないときに平らに各該面板２０の外の位置に貼ることを維持することができる。
【０００８】
図３を参照する。該被動機構１４は、下記のものを含む。第一ギア４０は、軸棒４００によって該定位台２２の後端と面板２０の内側との間に枢設し、その上にはその両側の辺外に凸出した一ペアの第一翼部４０２を設けている。ばね４０４は該第一ギア４０の前端と該定位台２２との間にある。第二ギア４２は、該定位台２２の内部に枢設している。そして下記のものがある。本体部４２０、通し孔４２２は該本体部４２０の前後端を貫通し、かつその内縁は六辺形になっており、掛け止め部を形成する。延伸棒４２４は、該蓋体２２３と前側にある該面板２０との間に枢設し、相当の長さおよび該通し孔４２２の内縁に対応した断面形状がある。一ペアの第二翼部４２６は各別にその両側に凸設している。伝動ギア４４は該台体２２０の該通し孔２２１の中に枢設しており、その二端は各別に各該第一、第二ギア４０、４２と噛接している。振り棒４４０は横向きにその側辺に突出しており、その末端に凸出部４４２を形成している。滑り塊４６は、左右の滑り動きができる方式で該滑り溝２２２の中に設けられており、左右両端が互いに対称の形状であり、連接部品４６６によって錠舌板（図の中には表示していない）と連接し、その中央の部所には上下に延伸する長溝４６０が設けられており、該凸出部４４２をその中に嵌入させ、頂端は左右対称の方式で二つの押し突き部４６２を凸設し、該二つの押し突き部４６２の間に凹み部４６４を設けている。
【０００９】
該閉鎖機構１５（図６および７を参照する。）は、該定位台２２の上に前後移動ができる押しボタン５０を含む。また該定位台２２の後端の所で振り動くことができる圧板５２を含む。該押しボタン５０には本体５００があり、該定位台２２の上端に差し置かれている。一ペアの凸耳５０１は対称的にその外縁に凸出している。ねじ管５０２はその前端に設けられている。横置きばね５０３は該ねじ管５０２の中に置かれている。ねじ蓋５０４は該ねじ管５０２の上に螺接されており、常時該横置きばね５０３の張力を受けている。直立ばね５０５は該本体５００の下縁にある。掛け杭５０６は本体５００の下縁に設けられており、常時該直立ばね５０５の下に向った力を受けている。該圧板５２は、その中段の所を該定位台２２の後端に枢設し、上端が該ペアの凸耳５０１の後側にあり、下端５２４は該第一ギア４０の後側にある。
【００１０】
該ドア錠１０には、また別の鍵（図面の中には表示していない）によって駆動できるように設けられており、該定位台２２と面板２０との間に錠心１６があり、該錠心１６の内側端は該本体５００の内部に対応し、これで該掛け杭５０６を制御して上に向って移動させることができる。
【００１１】
上記の各部品の組合せによって、後側の所のドア握り３２を操作することを例として説明すると、使用者が該ドア握り３２の下端を上に向って動かした時にはこれによってその上側の撥ね爪３０を振り動かし、その凸出状の上端で下に向って対応した該振りアームの中段部所３４２を下に向けて圧着して該振りアーム３４をまたその末端の掛け塊３４０で下に向けて該第一ギア４０の右側の第一翼部４０２を圧着し、これによって該第一ギア４０は該伝動ギア４４を引き動かして、同時に一つの角度を振り動かす。この時では、各該第一、第二ギア４０、４２と伝動ギア４４とによって組み合せたギアセットは、該振り棒４４０を駆動して、直立の位置から左に向って該滑り塊４６を引き動かし、その上の該連接部品４６６も伴って移動し、錠舌板を引き動かして退縮させ、ドア板を開く状態にさせることを達成する。
【００１２】
逆の時、使用者が図面での左側のドア握り３２を操作した場合は、また各該第二ギア４２と伝動ギア４４を経て、該滑り塊１５を引き動かしてドア板を開かせる動作を完成させる。
前記に説明したドア板を開く過程中で、使用者がその中の一つのドア握り３２を操作した時は、別の一つのドア握り３２は伴って上に向って開くことがない。
【００１３】
使用者が室内から推圧で該ドア錠１０の前端の該押しボタン５０を凸出させたときは、第一位置から後に向って第二位置に退縮し、伴って後に向って移動する該ペアの凸耳５０１は該圧板の上端５２０を押し突けて後に向って振り動く。同時に、該圧板の下端５２４は前側に向って振り動き、該第一ギア４０を強迫して該ばね４０４を圧縮させ、これによって中に向って一段の距離を移動させる。図６、７を参照する。これにより各該第一翼部４０２が該振りアーム３４の末端の掛け塊３４０の下側の所にないようにし、室外の後端のドア握り３２は振り動くことができるように形成するが、該ギアセットの動作状態を制御することができない。
【００１４】
本考案では、別に該定位台２２上に掛け溝５０７が設けられている。該掛け溝５０７は該押しボタン５０と該滑り塊４６との間の通し孔である。これは該押しボタン５０が第二位置に達したときには、該ばね５０５は収縮状態から伸張りの状態に変わり、該掛け杭５０６を圧迫してその末端を該掛け溝５０の中に嵌込んで、該押しボタン５０を移動することができないようにし、これにより前記の室外から該ギアセットの動作の状態を制御することができない状態を維持する。
【００１５】
そして使用者が室内の該ドア錠１０の前側にあるドア握り３２を引き動かしたときは、制御を受けて移動する該滑り塊４６は、左に向って移動する場合あるいは右に向って移動する場合ともその上端の押し突き部４６２で上に向って該掛け杭５０６を押し突いて、上に向って退縮させ、該掛け溝５０７を脱離する。そして、該第一ギア４０は該ばね４０４の力によって、該押しボタン５０と同時に力を受けていない時の元の位置に回復する。
当然、使用者も一本の鍵で室外から該ドア錠１０の後側を経て直接に該錠心１６の回転を制御して該掛け杭５０６を上升させ、該掛け溝の外に脱離する。
【００１６】
上記で述べたように本考案は有効に使用者が力を出しすぎてドア錠に損壊をきたすのを避ける機能と、使用者が簡単に自分でその駆動方向を変えて違った開き方向のドア板に活用することができる利点がある。
【図面の簡単な説明】
【００１７】
【図１】本考案の一実施例によるドア錠構造を示す分解斜視図である。
【図２】本考案の一実施例によるドア錠構造の被動機構を示す分解斜視図である。
【図３】本考案の一実施例によるドア錠構造の被動機構を示す断面図である。
【図４】本考案の一実施例によるドア錠構造の滑り塊が閉鎖位置にある状態を示す正面透視図である。
【図５】本考案の一実施例によるドア錠構造の滑り塊が開鎖位置にある状態を示す正面透視図である。
【図６】本考案の一実施例によるドア錠構造の閉鎖機構において第一ギアを釈放した状態を示す側面透視図である。
【図７】本考案の一実施例によるドア錠構造の閉鎖機構において第一ギアを圧着する状態を示す側面透視図である。
【符号の説明】
【００１８】
開き動かし式ドア錠１０、殻体１２、主動機構１３、被動機構１４、閉鎖機構１５、面板２０、定位台２２、台体２２０、蓋体２２３、通し孔２２１、滑り溝２２２、撥ね爪３０、ドア握り３２、振りアーム３４、掛け塊３４０、中段部所３４２、ばね３６、第一ギア４０、軸棒４００、第一翼部４０２、ばね４０４、第二ギア４２、本体部４２０、通し孔４２２、延伸棒４２４、第二翼部４２６、伝動ギア４４、振り棒４４０、凸出部４４２、滑り塊４６、連接部品４６６、長溝４６０、押し突き部４６２、凹み部４６４、押しボタン５０、圧板５２、本体５００、凸耳５０１、ねじ管５０２、横置きばね５０３、ねじ蓋５０４、直立ばね５０５、下端５２４、該掛け杭５０６、掛け溝５０７
【図１】
0003104380.tif 000003
【図２】
0003104380.tif 000004
【図３】
0003104380.tif 000005
【図４】
0003104380.tif 000006
【図５】
0003104380.tif 000007
【図６】
0003104380.tif 000008
【図７】
0003104380.tif 000009